(57)【要約】【課題】可視光通信を受信できるカメラ付き携帯端末の提供【解決手段】  従来のカメラ付き携帯端末２０が有しているカメラ２１とは別に、可視光からの情報を受信するために、カメラ２１の受光レンズと同じ方向を向いた可視光の受光部２４を設けている。この受光部２４により可視光からの情報を受信する。この受光部２４は、例えばフォトダイオード等で構成することができる。  カメラ２１をファインダーとして用いており、カメラのディスプレーに可視光通信を行っている照明器具が表示されたときに、受光部２４で可視光通信の情報を受けることができることが分かる。【選択図】図３
2005218067.tif 000002
【特許請求の範囲】
【請求項１】
カメラ付き携帯端末において、
カメラとは別に設けた可視光の受光部を備え、
該受光部で、可視光による情報を受信することを特徴とする携帯端末。
【請求項２】
請求項１に記載の携帯端末において、
前記受光部は、携帯端末のカメラのレンズと同じ方向を向くように設置され、
カメラのディスプレーに、可視光により情報を送信する機器が写ったときに可視光による通信を受信することを特徴とする携帯端末。
【発明の詳細な説明】
【技術分野】
【０００１】
本発明は、可視光の通信を受信するカメラ付き携帯端末に関するものである。
【背景技術】
【０００２】
携帯電話は今日の日本の産業を支える大きな要素である。日本では７０００万個の携帯電話端末が利用されている。携帯電話の端末は単に電話機能に留まらず、赤外線読み取り装置を備え、カメラを持ち，画像を写し、場合によっては、画像認識もする。さらに、ＲＦ−ＩＤタグを持つようになってきた。携帯端末を持てば、クレジットカードの機能や、場合によっては身分証明書の機能さえも持つようになる。１９９０年代のパソコンの市場ポジションを携帯端末が奪う勢いである。その中でカメラは外界の可視の画像情報を受ける機能があり、広く普及している。カメラのそうした機能を拡張して、可視光により通信装置（例えば、非常灯や広告灯の表示や照明に使われるＬＥＤを高速に変調する通信装置）からの情報を携帯端末で取り出す、図１のようなシステムも試作されている。
【０００３】
図１の場合では、携帯端末のカメラを可視光通信装置（例えば、非常灯）の光の方向に、右側の隠れた部分にあるディスプレーにより映像を見ながら向けることで、可視光（照明光）から情報を得ることができる。
カメラ２１から得られた映像は、図２のように、携帯端末２０のディスプレー２２に表示される。カメラの捕らえた非常灯等の可視光通信装置の映像２３が表示された状態で、例えば、可視光通信を受信するように携帯端末２０にボタンを押して指令すると、カメラが捉えた映像を高速にサンプリングすることにより、変調された可視光を復調して、照明の光から情報を得ることができる。
しかし、可視光通信に使用するカメラは、高速なサンプリング周波数が必要であり、特殊なものになる。カメラの機能としてはオーバースペックで高価なカメラとなる。
通常のカメラを可視光通信に用いた場合、低速なサンプリング周波数により、可視光通信で送られる情報の転送速度は、サンプリング周波数により制限されてしまう。
なお、デジタル・カメラで可視光通信で送られた情報を検出することについては、非特許文献１等を参照されたい。
【非特許文献１】松下伸行他「ID Cam：シーンとＩＤを同時に取得可能なスマートカメラ」情報処理学会論文誌 Vol.43 No.6，pp.3664-3674，(2002-12)
【発明の開示】
【発明が解決しようとする課題】
【０００４】
本発明の目的は、高速なサンプリング速度を有するカメラを用いずに、可視光通信を行うことができるカメラ付き携帯端末を提供することである。
【課題を解決するための手段】
【０００５】
上述の発明の目的を達成するために、本発明は、カメラ付き携帯端末において、カメラとは別に設けた可視光の受光部を備え、該受光部で、可視光による情報を受信することを特徴とする。
前記受光部は、携帯端末のカメラのレンズと同じ方向を向くように設置され、カメラのディスプレーに、可視光により情報を送信する機器が写ったときに可視光による通信を受信するように構成することもできる。
【発明の効果】
【０００６】
可視光による通信の受光部をカメラとは別に設けることで、可視光通信の情報をカメラの制約なしに高速に受光できる。
また、カメラをファインダーとして用いて、カメラのディスプレーに表示されたときに、受光部で可視光通信の情報を受けることができる。
【発明を実施するための最良の形態】
【０００７】
図面を用いて、本発明の実施形態を説明する。
図３，図４に本発明の実施形態を示す。
図３に示すように、従来のカメラ付き携帯端末２０が有しているカメラ２１とは別に、可視光（照明光を含む）からの情報を受信するために、カメラ２１の受光レンズと同じ方向を向いた可視光の受光部２４を設けている。この受光部２４により、可視光による情報を受信する。この受光部２４は、例えばフォトダイオード等で構成することができる。
【０００８】
図４は、図３に示したカメラ付き携帯端末２０の機能ブロック図を示している。図４において、カメラ２１で捉えた映像は、処理部２６により処理されて、ディスプレー２２に表示される。可視光通信装置（例えば、非常灯等の照明装置）からの情報は、受光部２４により電気信号に変換され、処理部２６により、例えばディスプレー２２に表示される。図４では、携帯端末２０において当然有している音声関連のマイクやスピーカーやボタン等は、図示していない。なお、可視光通信装置からの情報をディスプレー２２に表示するのではなく、音声合成してスピーカーから聞こえるようにしてもよい。また、この受光部２４は、例えばフォトダイオード等で構成することができる。
【０００９】
図３，図４に示した構成は、カメラ技術では、二眼レフ方式として知られている構成と類似のものである。二眼レフでは二眼の一方は画像本来の撮影のために、もう一方は被写体を人間が見るファインダとして用いている。本発明の実施形態である図３に示した構成においても、図２に示すように、携帯端末２０を可視光通信装置（非常灯等の照明器具）の方向に向けて、非常灯等の可視光通信装置がディスプレー２２に写ると、情報を発生している可視光通信装置からの照明光を、カメラ２１とは別に設けた受光部２４に十分に照射していることになる。即ち、この場合、カメラ２１は、謂わば可視光通信装置を被写体として人間が見るためのファインダとして機能している。なお、ディスプレー２２の所定の領域に可視光通信装置が写ると、可視光通信に最適な方向であるように、カメラ２１と受光部２４との位置関係を設定してもよい。
【００１０】
従来は、可視光通信から送られた情報を、携帯端末に付属しているカメラでとらえたために、カメラを特殊なサンプリング速度が速いものに置き換える必要性が生じた。図３の構成は、カメラ２１はカメラ、受光部２４は可視光通信の受光部として構成することで、可視光通信の情報をカメラの制約なしに高速に受光できる。
さらに、カメラと受光部とを同じ向きに設置し、カメラをファインダとして用いて、カメラのディスプレーに可視光通信を行なっている照明器具が表示されたときに、受光部で可視光通信の情報を受けることができることが分かる。可視光通信の受光部２４は、光の強弱の検出を行うことができれば十分であるので、カメラがとらえた可視光通信装置が画面の中に映っていれば、照明光を変調して送られてくる情報を検出できるように設定することは容易にできる。
【図面の簡単な説明】
【００１１】
【図１】従来のカメラ付き携帯端末の構成を示す図である。
【図２】カメラ付き携帯端末で可視光通信の情報を受ける操作を説明する図である。
【図３】受光部を設けたカメラ付き携帯端末の構成を示す図である。
【図４】受光部を設けたカメラ付き携帯端末の機能ブロック図を示す図である。
【符号の説明】
【００１２】
１０：可視光通信装置（照明器具）
２０：カメラ付き携帯端末
２１：カメラ部
２２：ディスプレー
２３：可視光通信装置（照明器具）の画像
２４：可視光通信用の受光部
２５：復調部
２６：処理部
２７：送受信部
２８：アンテナ
【図１】
2005218067.tif 000003
【図２】
2005218067.tif 000004
【図３】
2005218067.tif 000005
【図４】
2005218067.tif 000006